(57)【特許請求の範囲】
【請求項１】
複数の端末装置において、第１端末装置の表示画面の少なくとも一部に、第２端末装置の表示内容の少なくとも一部を同期状態にして表示させることが可能なプログラムであって、
前記第１端末装置において第１のユーザにより操作された内容を示す第１操作内容を取得する第１操作取得手段、
前記第２端末装置において第２のユーザにより操作された内容を示す第２操作内容を受け付ける第２操作受付手段、
前記第１操作内容が、前記第２端末装置に同期して前記第１端末装置に表示された表示内容を変更する操作内容であって、予め定められた操作内容である場合は、前記第１端末装置に表示された前記表示内容を、前記第１操作内容に応じた表示内容に変更する表示制御手段、
としてコンピュータを機能させるためのプログラムであって、
前記第１操作内容及び前記第２操作内容に対応するそれぞれの前記予め定められた操作内容は複数定められるとともに、それぞれの操作内容には、その内容に応じて予め優先度が定められており、
前記第１操作取得手段により前記第１操作内容を取得する期間と、前記第２操作受付手段により前記第２操作内容を受け付ける期間とが重なり、前記第１操作内容及び前記第２操作内容が、それぞれの前記予め定められた操作内容に含まれ、前記第１操作内容の優先度が前記第２操作内容の優先度よりも高い場合は、前記表示制御手段は、前記第１端末装置に表示された前記表示内容を、前記第１操作内容に応じた表示内容に変更する、
ことを特徴とするプログラム。
【請求項２】
複数の端末装置において、第１端末装置の表示画面の少なくとも一部に、第２端末装置の表示内容の少なくとも一部を同期状態にして表示させることが可能なプログラムであって、
前記第１端末装置において第１のユーザにより操作された内容を示す第１操作内容を取得する第１操作取得手段、
前記第２端末装置において第２のユーザにより操作された内容を示す第２操作内容を受け付ける第２操作受付手段、
前記第１操作内容が、前記第２端末装置に同期して前記第１端末装置に表示された表示内容を変更する操作内容であって、予め定められた操作内容である場合は、前記第１端末装置に表示された前記表示内容を、前記第１操作内容に応じた表示内容に変更する表示制御手段、
としてコンピュータを機能させるためのプログラムであって、
前記第１操作内容及び前記第２操作内容に対応するそれぞれの前記予め定められた操作内容は複数定められるとともに、それぞれの操作内容には、その内容に応じて予め優先度が定められており、
前記第１操作取得手段により前記第１操作内容を取得する期間と、前記第２操作受付手段により前記第２操作内容を受け付ける期間とが重なり、前記第１操作内容及び前記第２操作内容が、それぞれの前記予め定められた操作内容に含まれ、前記第２操作内容の優先度が前記第１操作内容の優先度よりも高い場合は、前記表示制御手段は、前記第１端末装置に表示された前記表示内容を、前記第２操作内容に応じた表示内容に変更する、
ことを特徴とするプログラム。
【請求項３】
複数の端末装置において、第１端末装置の表示画面の少なくとも一部に、第２端末装置の表示内容の少なくとも一部を同期状態にして表示させることが可能な情報処理装置であって、
前記第１端末装置において第１のユーザにより操作された内容を示す第１操作内容を取得する第１操作取得手段と、
前記第２端末装置において第２のユーザにより操作された内容を示す第２操作内容を受け付ける第２操作受付手段と、
前記第１操作内容が、前記第２端末装置に同期して前記第１端末装置に表示された表示内容を変更する操作内容であって、予め定められた操作内容である場合は、前記第１端末装置に表示された前記表示内容を、前記第１操作内容に応じた表示内容に変更する表示制御手段と、を含み、
前記第１操作内容及び前記第２操作内容に対応するそれぞれの前記予め定められた操作内容は複数定められるとともに、それぞれの操作内容には、その内容に応じて予め優先度が定められており、
前記第１操作取得手段により前記第１操作内容を取得する期間と、前記第２操作受付手段により前記第２操作内容を受け付ける期間とが重なり、前記第１操作内容及び前記第２操作内容が、それぞれの前記予め定められた操作内容に含まれ、前記第１操作内容の優先度が前記第２操作内容の優先度よりも高い場合は、前記表示制御手段は、前記第１端末装置に表示された前記表示内容を、前記第１操作内容に応じた表示内容に変更する、
ことを特徴とする情報処理装置。
【請求項４】
複数の端末装置において、第１端末装置の表示画面の少なくとも一部に、第２端末装置の表示内容の少なくとも一部を同期状態にして表示させることが可能な情報処理装置であって、
前記第１端末装置において第１のユーザにより操作された内容を示す第１操作内容を取得する第１操作取得手段と、
前記第２端末装置において第２のユーザにより操作された内容を示す第２操作内容を受け付ける第２操作受付手段と、
前記第１操作内容が、前記第２端末装置に同期して前記第１端末装置に表示された表示内容を変更する操作内容であって、予め定められた操作内容である場合は、前記第１端末装置に表示された前記表示内容を、前記第１操作内容に応じた表示内容に変更する表示制御手段と、を含み、
前記第１操作内容及び前記第２操作内容に対応するそれぞれの前記予め定められた操作内容は複数定められるとともに、それぞれの操作内容には、その内容に応じて予め優先度が定められており、
前記第１操作取得手段により前記第１操作内容を取得する期間と、前記第２操作受付手段により前記第２操作内容を受け付ける期間とが重なり、前記第１操作内容及び前記第２操作内容が、それぞれの前記予め定められた操作内容に含まれ、前記第２操作内容の優先度が前記第１操作内容の優先度よりも高い場合は、前記表示制御手段は、前記第１端末装置に表示された前記表示内容を、前記第２操作内容に応じた表示内容に変更する、
ことを特徴とする情報処理装置。
【請求項５】
第１端末装置と第２端末装置とを含み、前記第１端末装置の表示画面の少なくとも一部に、前記第２端末装置の表示内容の少なくとも一部を同期状態にして表示させることが可能な情報処理システムであって、
前記第１端末装置において第１のユーザにより操作された内容を示す第１操作内容を取得する第１操作取得手段と、
前記第２端末装置において第２のユーザにより操作された内容を示す第２操作内容を受け付ける第２操作受付手段と、
前記第１操作内容が、前記第２端末装置に同期して前記第１端末装置に表示された表示内容を変更する操作内容であって、予め定められた操作内容である場合は、前記第１端末装置に表示された前記表示内容を、前記第１操作内容に応じた表示内容に変更する表示制御手段と、を含み、
前記第１操作内容及び前記第２操作内容に対応するそれぞれの前記予め定められた操作内容は複数定められるとともに、それぞれの操作内容には、その内容に応じて予め優先度が定められており、
前記第１操作取得手段により前記第１操作内容を取得する期間と、前記第２操作受付手段により前記第２操作内容を受け付ける期間とが重なり、前記第１操作内容及び前記第２操作内容が、それぞれの前記予め定められた操作内容に含まれ、前記第１操作内容の優先度が前記第２操作内容の優先度よりも高い場合は、前記表示制御手段は、前記第１端末装置に表示された前記表示内容を、前記第１操作内容に応じた表示内容に変更する、
ことを特徴とする情報処理システム。
【請求項６】
第１端末装置と第２端末装置とを含み、前記第１端末装置の表示画面の少なくとも一部に、前記第２端末装置の表示内容の少なくとも一部を同期状態にして表示させることが可能な情報処理システムであって、
前記第１端末装置において第１のユーザにより操作された内容を示す第１操作内容を取得する第１操作取得手段と、
前記第２端末装置において第２のユーザにより操作された内容を示す第２操作内容を受け付ける第２操作受付手段と、
前記第１操作内容が、前記第２端末装置に同期して前記第１端末装置に表示された表示内容を変更する操作内容であって、予め定められた操作内容である場合は、前記第１端末装置に表示された前記表示内容を、前記第１操作内容に応じた表示内容に変更する表示制御手段と、を含み、
前記第１操作内容及び前記第２操作内容に対応するそれぞれの前記予め定められた操作内容は複数定められるとともに、それぞれの操作内容には、その内容に応じて予め優先度が定められており、
前記第１操作取得手段により前記第１操作内容を取得する期間と、前記第２操作受付手段により前記第２操作内容を受け付ける期間とが重なり、前記第１操作内容及び前記第２操作内容が、それぞれの前記予め定められた操作内容に含まれ、前記第２操作内容の優先度が前記第１操作内容の優先度よりも高い場合は、前記表示制御手段は、前記第１端末装置に表示された前記表示内容を、前記第２操作内容に応じた表示内容に変更する、
ことを特徴とする情報処理システム。
【請求項７】
複数の端末装置において、第１端末装置の表示画面の少なくとも一部に、第２端末装置の表示内容の少なくとも一部を同期状態にして表示させることが可能なプログラムであって、
前記第１端末装置において第１のユーザにより操作された内容を示す第１操作内容を取得する第１操作取得手段、
前記第２端末装置において第２のユーザにより操作された内容を示す第２操作内容を受け付ける第２操作受付手段、
前記第１操作内容が、前記第２端末装置に同期して前記第１端末装置に表示された表示内容を変更する操作内容であって、予め定められた操作内容である場合は、前記第１端末装置に表示された前記表示内容を、前記第１操作内容に応じた表示内容に変更する表示制御手段、
としてコンピュータを機能させるためのプログラムであって、
前記第１操作内容及び前記第２操作内容に対応するそれぞれの前記予め定められた操作内容は複数定められるとともに、それぞれの操作内容には、その内容に応じて予め優先度が定められており、
前記第１操作取得手段により前記第１操作内容を取得する期間と、前記第２操作受付手段により前記第２操作内容を受け付ける期間とが重なり、前記第１操作内容及び前記第２操作内容が、それぞれの前記予め定められた操作内容に含まれ、前記第１操作内容の優先度が前記第２操作内容の優先度よりも高い場合は、前記表示制御手段は、前記第１端末装置に表示された前記表示内容を、前記第１操作内容に応じた表示内容に変更する、
プログラムを記録したコンピュータ読み取り可能な記録媒体。
【請求項８】
複数の端末装置において、第１端末装置の表示画面の少なくとも一部に、第２端末装置の表示内容の少なくとも一部を同期状態にして表示させることが可能なプログラムであって、
前記第１端末装置において第１のユーザにより操作された内容を示す第１操作内容を取得する第１操作取得手段、
前記第２端末装置において第２のユーザにより操作された内容を示す第２操作内容を受け付ける第２操作受付手段、
前記第１操作内容が、前記第２端末装置に同期して前記第１端末装置に表示された表示内容を変更する操作内容であって、予め定められた操作内容である場合は、前記第１端末装置に表示された前記表示内容を、前記第１操作内容に応じた表示内容に変更する表示制御手段、
としてコンピュータを機能させるためのプログラムであって、
前記第１操作内容及び前記第２操作内容に対応するそれぞれの前記予め定められた操作内容は複数定められるとともに、それぞれの操作内容には、その内容に応じて予め優先度が定められており、
前記第１操作取得手段により前記第１操作内容を取得する期間と、前記第２操作受付手段により前記第２操作内容を受け付ける期間とが重なり、前記第１操作内容及び前記第２操作内容が、それぞれの前記予め定められた操作内容に含まれ、前記第２操作内容の優先度が前記第１操作内容の優先度よりも高い場合は、前記表示制御手段は、前記第１端末装置に表示された前記表示内容を、前記第２操作内容に応じた表示内容に変更する、
プログラムを記録したコンピュータ読み取り可能な記録媒体。
【発明の詳細な説明】
【技術分野】
【０００１】
本発明は、情報処理装置、情報処理システム、プログラム、及び記録媒体に関する。
【背景技術】
【０００２】
近年、会議において、ＰＣやタブレット端末等をネットワークを介して相互に接続し資料等の電子データを共有する、いわゆる電子会議システムが利用されている。電子会議システムでは、発表者が使用する端末装置（以下、発表者用端末という。）と、発表者以外の参加者が使用する端末装置（以下、参加者用端末という。）とを同期させることにより、発表者用端末の表示画面の表示内容（資料の表示ページ等）が、参加者用端末の表示画面に同期して表示される。
【０００３】
従来、上記電子会議システムにおいて、参加者が参加者用端末を非同期状態に切り替えて、発表者用端末の表示内容とは異なる内容を表示させる技術が提案されている。
【０００４】
例えば特許文献１には、ユーザが端末装置上で同期・非同期を相互に切り替えることが可能な電子会議システムが開示されている。具体的には、端末装置の画面上に表示された同期ボタンをユーザが押した場合は、同期状態になって他の端末装置の表示内容が同期して表示され、ユーザが端末装置の画面上に表示された非同期ボタンを押した場合は、非同期状態になって他の端末装置の表示内容とは異なる内容が表示可能となる。
【先行技術文献】
【特許文献】
【０００５】
【特許文献１】特開２０１０−３３２２９号公報
【発明の概要】
【発明が解決しようとする課題】
【０００６】
本発明は、電子会議における、他の端末装置に同期して表示される端末装置において、該端末装置のユーザによる同期・非同期の切り替え操作を要することなく、ユーザの所望の操作に応じた内容を表示させることができる情報処理装置、情報処理システム、プログラム、及び記録媒体を提供することを目的とする。
【課題を解決するための手段】
【０００７】
本発明の請求項１に係るプログラムは、複数の端末装置において、第１端末装置の表示画面の少なくとも一部に、第２端末装置の表示内容の少なくとも一部を同期状態にして表示させることが可能なプログラムであって、前記第１端末装置において第１のユーザにより操作された内容を示す第１操作内容を取得する第１操作取得手段、前記第１操作内容が、前記第２端末装置に同期して前記第１端末装置に表示された表示内容を変更する操作内容であって、予め定められた操作内容である場合は、前記第１端末装置に表示された前記表示内容を、前記第１操作内容に応じた表示内容に変更する表示制御手段、としてコンピュータを機能させるためのプログラムである。
【０００８】
本発明の請求項２に係るプログラムは、請求項１に記載の構成において、前記表示制御手段は、前記第１端末装置に表示された前記表示内容を、前記第１操作内容に応じた表示内容に切り替える。
【０００９】
本発明の請求項３に係るプログラムは、請求項１に記載の構成において、前記表示制御手段は、前記第１端末装置に表示された前記表示内容と共に、該表示内容を前記第１操作内容に応じて切り替えた前記表示内容を前記第１端末装置に表示させる。
【００１０】
本発明の請求項４に係るプログラムは、請求項１に記載の構成において、前記コンピュータを、さらに、前記第２端末装置において第２のユーザにより操作された内容を示す第２操作内容を受け付ける第２操作受付手段として機能させ、前記第１操作内容に応じた表示内容が前記第１端末装置に表示されているときに、前記第２操作受付手段が前記第２操作内容を受け付けた場合において、前記第２操作内容が、前記第２端末装置に表示された表示内容を変更する操作内容であって、予め定められた操作内容である場合は、前記表示制御手段は、前記第１端末装置に表示された前記表示内容を、前記第２操作内容に応じた表示内容に変更する。
【００１１】
本発明の請求項５に係るプログラムは、請求項１に記載の構成において、前記コンピュータを、さらに、前記第２端末装置において第２のユーザにより操作された内容を示す第２操作内容を受け付ける第２操作受付手段として機能させ、前記第１操作内容及び前記第２操作内容に対応するそれぞれの前記予め定められた操作内容は複数定められるとともに、それぞれの操作内容には、その内容に応じて予め優先度が定められており、前記第１操作取得手段により前記第１操作内容を取得する期間と、前記第２操作受付手段により前記第２操作内容を受け付ける期間とが重なり、前記第１操作内容及び前記第２操作内容が、それぞれの前記予め定められた操作内容に含まれ、前記第１操作内容の優先度が前記第２操作内容の優先度よりも高い場合は、前記表示制御手段は、前記第１端末装置に表示された前記表示内容を、前記第１操作内容に応じた表示内容に変更する。
【００１２】
本発明の請求項６に係るプログラムは、請求項１に記載の構成において、前記コンピュータを、さらに、前記第２端末装置において第２のユーザにより操作された内容を示す第２操作内容を受け付ける第２操作受付手段として機能させ、前記第１操作内容及び前記第２操作内容に対応するそれぞれの前記予め定められた操作内容は複数定められるとともに、それぞれの操作内容には、その内容に応じて予め優先度が定められており、前記第１操作取得手段により前記第１操作内容を取得する期間と、前記第２操作受付手段により前記第２操作内容を受け付ける期間とが重なり、前記第１操作内容及び前記第２操作内容が、それぞれの前記予め定められた操作内容に含まれ、前記第２操作内容の優先度が前記第１操作内容の優先度よりも高い場合は、前記表示制御手段は、前記第１端末装置に表示された前記表示内容を、前記第２操作内容に応じた表示内容に変更する。
【００１３】
本発明の請求項７に係るプログラムは、請求項１に記載の構成において、前記表示制御手段は、全ての前記第１端末装置の台数に対する、前記同期状態にある前記第１端末装置の台数の割合を、前記第２端末装置の表示画面に表示させる。
【００１４】
本発明の請求項８に係るプログラムは、複数の端末装置において、第１端末装置の表示画面の少なくとも一部に、第２端末装置の表示内容の少なくとも一部を同期状態にして表示させることが可能なプログラムであって、前記第１端末装置の第１のユーザによる予め定められた操作によって前記同期状態を解除する同期解除手段、前記同期状態が解除された状態において、前記第２端末装置の第２のユーザによる予め定められた操作によって、再度、前記同期状態に戻す再同期手段、としてコンピュータを機能させるためのプログラムである。
【００１５】
上記プログラムは、ＣＤ−ＲＯＭやＤＶＤ−ＲＯＭなどの、コンピュータが読み取り可能な情報記憶媒体に格納されてもよい。また、上記コンピュータは、上記端末装置であってもよい。
【００１６】
本発明の請求項９に係る情報処理装置は、複数の端末装置において、第１端末装置の表示画面の少なくとも一部に、第２端末装置の表示内容の少なくとも一部を同期状態にして表示させることが可能な情報処理装置であって、前記第１端末装置において第１のユーザにより操作された内容を示す第１操作内容を取得する第１操作取得手段と、前記第１操作内容が、前記第２端末装置に同期して前記第１端末装置に表示された表示内容を変更する操作内容であって、予め定められた操作内容である場合は、前記第１端末装置に表示された前記表示内容を、前記第１操作内容に応じた表示内容に変更する表示制御手段と、を含むことを特徴とする。上記情報処理装置は、上記端末装置であってもよい。
【００１７】
本発明の請求項１０に係る情報処理装置は、複数の端末装置において、第１端末装置の表示画面の少なくとも一部に、第２端末装置の表示内容の少なくとも一部を同期状態にして表示させることが可能な情報処理装置であって、前記第１端末装置の第１のユーザによる予め定められた操作によって前記同期状態を解除する同期解除手段と、前記同期状態が解除された状態において、前記第２端末装置の第２のユーザによる予め定められた操作によって、再度、前記同期状態に戻す再同期手段と、を含むことを特徴とする。上記情報処理装置は、上記端末装置であってもよい。
【００１８】
本発明の請求項１１に係る情報処理システムは、第１端末装置と第２端末装置とを含み、前記第１端末装置の表示画面の少なくとも一部に、前記第２端末装置の表示内容の少なくとも一部を同期状態にして表示させることが可能な情報処理システムであって、前記第１端末装置において第１のユーザにより操作された内容を示す第１操作内容を取得する第１操作取得手段と、前記第１操作内容が、前記第２端末装置に同期して前記第１端末装置に表示された表示内容を変更する操作内容であって、予め定められた操作内容である場合は、前記第１端末装置に表示された前記表示内容を、前記第１操作内容に応じた表示内容に変更する表示制御手段と、を含むことを特徴とする。
【００１９】
本発明の請求項１２に係る記録媒体は、複数の端末装置において、第１端末装置の表示画面の少なくとも一部に、第２端末装置の表示内容の少なくとも一部を同期状態にして表示させることが可能なプログラムであって、前記第１端末装置において第１のユーザにより操作された内容を示す第１操作内容を取得する第１操作取得手段、前記第１操作内容が、前記第２端末装置に同期して前記第１端末装置に表示された表示内容を変更する操作内容であって、予め定められた操作内容である場合は、前記第１端末装置に表示された前記表示内容を、前記第１操作内容に応じた表示内容に変更する表示制御手段、としてコンピュータを機能させるためのプログラムを記録したコンピュータ読み取り可能な記録媒体である。上記コンピュータは、上記端末装置であってもよい。
【発明の効果】
【００２０】
本発明の請求項１、８〜１２の構成によれば、電子会議における、他の端末装置に同期して表示される端末装置において、該端末装置のユーザによる同期・非同期の切り替え操作を要することなく、ユーザの所望の操作に応じた内容が表示される。このため、ユーザの利便性が向上する。
【００２１】
本発明の請求項２の構成によれば、第１端末装置に表示された表示内容が、ユーザ（例えば会議参加者）による操作内容に応じた表示内容に切り替えられる。
【００２２】
本発明の請求項３の構成によれば、ユーザ（会議参加者）の第１端末装置に、同期状態における表示内容と、非同期状態における表示内容とが一緒に表示される。
【００２３】
本発明の請求項４の構成によれば、ユーザ（会議参加者）の第１端末装置において、非同期状態における表示内容が、ユーザ（発表者）の操作に応じた同期状態における表示内容に切り替えられる。
【００２４】
本発明の請求項５の構成によれば、ユーザ（会議参加者）の操作内容の優先度が、ユーザ（発表者）の操作内容の優先度よりも高い場合は、第１端末装置に表示された表示内容が、ユーザ（会議参加者）による操作内容に応じた表示内容に切り替えられる。
【００２５】
本発明の請求項６の構成によれば、ユーザ（発表者）の操作内容の優先度が、ユーザ（会議参加者）の操作内容の優先度よりも高い場合は、第１端末装置に表示された表示内容が、ユーザ（発表者）による操作内容に応じた表示内容に切り替えられる。
【００２６】
本発明の請求項７の構成によれば、全ての第１端末装置の台数に対する、同期状態にある第１端末装置の台数の割合（同期率）が、第２端末装置に表示される。
【図面の簡単な説明】
【００２７】
【図１】本実施形態に係る電子会議システムの全体構成図である。
【図２】操作端末のハードウェア構成を示すブロック図である。
【図３】参加者用端末の具体的な構成を示す機能ブロック図である。
【図４】電子会議システムのネットワーク構成の一例を示す図である。
【図５】発表者用端末の表示画面に表示される表示内容の一例を示している。
【図６】操作種別テーブルの一例を示す図である。
【図７】電子会議システムの動作フロー図である。
【図８】電子会議システムの動作フロー図である。
【図９】変形例５に係る電子会議システムにおける参加者用端末の具体的な構成を示す機能ブロック図である。
【図１０】操作種別テーブルの一例を示す図である。
【図１１】操作種別テーブルの一例を示す図である。
【図１２】変形例５に係る電子会議システムの動作フロー図である。
【図１３】変形例８に係る電子会議システムの具体的な構成を示す機能ブロック図である。
【図１４】変形例８に係る電子会議システムの具体的な構成を示す機能ブロック図である。
【図１５】電子会議システムのネットワーク構成の一例を示す図である。
【図１６】電子会議システムのネットワーク構成の一例を示す図である。
【発明を実施するための形態】
【００２８】
本発明の一実施形態について、図面を用いて以下に説明する。本実施形態では、情報処理システムの一例として、ネットワークを介して接続された複数の端末装置間で電子データを共有する電子会議システムを例に挙げて説明する。
【００２９】
図１は、本実施形態に係る電子会議システムの全体構成図である。電子会議システム１００（情報処理システム）は、会議に出席する複数のユーザがそれぞれ使用する複数の操作端末１０を含んで構成されている。本実施形態では、説明の便宜上、会議の主催者、会議の進行役、会議において発表を担当する者等、会議の主役となり得るユーザを「発表者」（第２のユーザ）といい、発表者が使用する操作端末を「発表者用端末」（第２端末装置）という。また、発表者以外の会議に出席するユーザを「参加者」（第１のユーザ）といい、参加者が使用する操作端末を「参加者用端末」（第１端末装置）という。図１では、１台の発表者用端末１０ａと、３台の参加者用端末１０ｂ、１０ｃ、１０ｄとを示している。また、以下では、発表者用端末１０ａ及び参加者用端末１０ｂ、１０ｃ、１０ｄにおいて共通する構成を説明する際は、操作端末１０と総称して説明する。
【００３０】
図１に示すように、発表者用端末１０ａと、参加者用端末１０ｂ、１０ｃ、１０ｄとは、ＬＡＮ（Local Area Network）やインターネット等の通信ネットワーク２０を介して相互に接続されている。
【００３１】
図２は、操作端末１０のハードウェア構成を示すブロック図である。操作端末１０は、ＣＰＵ１０１、メモリ１０２、記憶部１０３、通信部１０４、入力部１０５、及び表示部１０６を含むコンピュータで構成されている。これらのハードウェア要素はバスにより相互にデータの授受が可能に接続されている。ＣＰＵ１０１は、操作端末１０の各部を制御したり、各種の情報処理を実行したりする。メモリ１０２は、各種のプログラムやデータを保持する。メモリ１０２には、ＣＰＵ１０１の作業領域も確保される。記憶部１０３は、各種のファイルやドキュメント等のデータを記憶する。通信部１０４は、通信ネットワーク２０を介して、他の操作端末１０とデータ通信を行う。入力部１０５は、キーボード、マウス、ペンツール、タッチパネル等の入力デバイスである。表示部１０６は、Ｗｅｂブラウザ等のアプリケーションソフトを介して各種のファイルやドキュメント等を表示する表示画面である。記憶部１０３、入力部１０５、及び表示部１０６は、操作端末１０の外部に設けられ、通信ネットワーク２０を介して操作端末１０に接続されていてもよい。また、操作端末１０には、ブラウザや電子メールクライアント等のソフトウェアが組み込まれている。操作端末１０は、例えば、パーソナルコンピュータ、ＰＤＡ（Personal Digital Assistant）、スマートフォン等の携帯情報端末等である。
【００３２】
以下では、主に、発表者用端末１０ａ及び参加者用端末１０ｂに着目して、電子会議システム１００の具体的な構成について説明する。
【００３３】
図３は、参加者用端末１０ｂの具体的な構成を示す機能ブロック図である。参加者用端末１０ｂは、発表者操作受付部１１、参加者操作取得部１２、操作種別判定部１３、同期判定部１４、及び、表示制御部１５を含んでいる。これらの要素はメモリ１０２（図２参照）に格納されたプログラムをＣＰＵ１０１が実行することにより実現される。記憶部１０３には、各種のファイルやドキュメント等のデータを保存するファイルＤＢ３１が含まれている。
【００３４】
上記プログラムは、ＣＤ−ＲＯＭ、ＤＶＤ−ＲＯＭ、メモリカード等のコンピュータが読み取り可能な情報記憶媒体から参加者用端末１０ｂにインストールされてもよいし、インターネット等の通信ネットワーク２０を介してダウンロードされてもよいし、上記プログラムが予め記憶されたサーバからダウンロードされてもよい。
【００３５】
例えば、図４に示すように、各操作端末１０がサーバ３０を介してネットワーク接続されたネットワーク構成において、参加者用端末１０ｂ、１０ｃ、１０ｄがサーバ３０に接続された時点で、上記プログラムがサーバ３０から各参加者用端末１０ｂ、１０ｃ、１０ｄのメモリ１０２にダウンロードされ、会議用の資料データがファイルＤＢ３１にダウンロードされてもよい。上記プログラム及び資料データは、例えばＪａｖａＳｃｒｉｐｔ（登録商標）により構成されてもよい。また、発表者が操作端末１０をサーバ３０に接続して所定の設定を行うことにより、当該操作端末１０は発表者用端末１０ａとして認識され、参加者が操作端末１０をサーバ３０に接続して所定の設定を行うことにより、当該操作端末１０は参加者用端末１０ｂ等として認識される。サーバ３０は、参加者用端末に認識された各操作端末１０に対して、上記プログラム及び資料データを送信する。なお、サーバ３０は、発表者用端末に認識された操作端末１０に対しても、上記プログラム及び資料データを送信してもよい。サーバ３０は、上記プログラム及び資料データを送信した後、主に、発表者用端末１０ａ及び参加者用端末１０ｂ、１０ｃ、１０ｄ間の情報通信を行う中継器として機能する。なお、上記プログラムがダウンロード又は記録された端末装置１０は、情報処理装置として機能する。また、上記プログラムがダウンロードされたコンピュータは、端末装置１０であってもよいし、サーバ３０であってもよい。
【００３６】
上記プログラムに対応する各機能について説明する。
【００３７】
発表者操作受付部１１は、発表者用端末１０ａから、発表者が発表者用端末１０ａにおいて操作した内容を示す情報（以下、発表者操作情報という。）（第２操作内容）を受け付ける。発表者操作情報は、例えば、新規資料の表示、ペンツール（手書き用ツール）による資料への書き込み、投稿コメントのピックアップ（選択）、資料のページ切り替え、マウスポインタの入力及び移動、音声入力等の操作内容を示す情報である。
【００３８】
ここで、発表者用端末１０ａにおける処理内容の具体例を説明する。図５は、発表者用端末１０ａの表示画面に表示される表示内容の一例を示している。
【００３９】
例えば、発表者が発表者用端末１０ａにおいて、マウス等（入力部１０５）を操作して、ファイルＤＢ３１に保存されている資料の読み込み（資料画面へ新規資料を表示させる操作）を行った場合、発表者用端末１０ａは、通信部１０４を介して、資料の保存先ＵＲＬ又は資料ＩＤを示す情報を含む上記操作内容を示す発表者操作情報を、参加者用端末１０ｂに通知（送信）する。
【００４０】
また、例えば、発表者が発表者用端末１０ａにおいて、マウスを操作して、表示部１０６に表示された資料画面（図５参照）にマウスポインタを入力した場合、発表者用端末１０ａは、通信部１０４を介して、マウスポインタの位置（座標）、入力された資料のＩＤ及びページ番号等を示す情報を含む上記操作内容を示す発表者操作情報を、参加者用端末１０ｂに通知する。なお、発表者用端末１０ａは、発表者操作情報を一定間隔（例えば、５０ｍｓｅｃ毎）で順次送信してもよい。
【００４１】
また、例えば、発表者が発表者用端末１０ａにおいて、ペンツールを操作して、表示部１０６に表示された資料画面（図５参照）に文字等を書き込んだ場合、発表者用端末１０ａは、通信部１０４を介して、書き込まれた位置（座標）、書き込まれた資料のＩＤ及びページ番号等を示す情報を含む上記操作内容を示す発表者操作情報を、参加者用端末１０ｂに通知する。
【００４２】
また、例えば、発表者が発表者用端末１０ａにおいて、マウスを操作して、表示部１０６に表示された資料画面（図５参照）のページを切り替えた場合、発表者用端末１０ａは、通信部１０４を介して、表示された資料のＩＤ及び指定されたページ番号を示す情報を含む上記操作内容を示す発表者操作情報を、参加者用端末１０ｂに通知する。
【００４３】
このように、発表者用端末１０ａは、発表者の操作に基づいて、その内容を示す情報を、各参加者用端末１０ｂ、１０ｃ、１０ｄに通知する。
【００４４】
参加者操作取得部１２は、参加者が参加者用端末１０ｂにおいて操作した内容を示す情報（以下、参加者操作情報という。）（第１操作内容）を取得する。参加者操作情報は、発表者操作情報と同様、例えば、資料の表示、ペンツールによる資料への書き込み、投稿コメントの作成、資料のページ切り替え、マウスポインタの入力及び移動、音声入力等の操作内容を示す情報である。
【００４５】
操作種別判定部１３は、発表者操作受付部１１が発表者用端末１０ａから受け付けた発表者操作情報に基づいて操作種別（発表者操作種別）を判定する。また、操作種別判定部１３は、参加者操作取得部１２が自端末（参加者用端末１０ｂ）において取得した参加者操作情報に基づいて操作種別（参加者操作種別）を判定する。操作種別は、発表者及び参加者の操作内容を種類別に分類したものである。操作種別は、予め設定されており、例えば操作種別テーブルとして記憶部１０３に保存される。操作種別テーブルに登録される操作内容は、発表者及び参加者にとって重要な操作内容、例えば、発表者用端末１０ａに同期して参加者用端末１０ｂに表示された表示内容（同期内容）を変更する操作内容をいう。具体的には、発表者用端末１０ａに表示された資料Ａの第１ページが同期して参加者用端末１０ｂに表示されている場合に、第２ページに切り替えることにより、参加者用端末１０ｂの表示内容を変更する操作や、発表者用端末１０ａに表示された資料Ａの第１ページが同期して参加者用端末１０ｂに表示されている場合に、第１ページにマウスポインタを入力することにより、参加者用端末１０ｂの表示内容を変更する操作等をいう。
【００４６】
なお、参加者用端末１０ｂにおいて、表示画面全体に同期内容が表示されてもよいし、表示画面の一部に同期内容が表示されてもよい。また、発表者用端末１０ａの表示画面全体が同期されてもよいし、表示画面の一部が同期されてもよい。このため、例えば、発表者用端末１０ａにおいて発表者が操作したマウスポインタが、参加者用端末１０ｂにおいて同期して動いている場合（同期状態）でも、参加者用端末１０ｂ用のマウスポインタは別途（例えば、同期している表示画面外に）表示されていてもよい。また、同期している表示画面内において、発表者が操作した同期状態のマウスポインタと、参加者が操作した参加者用端末１０ｂ用のマウスポインタとの両方が表示されていてもよい。発表者用端末１０ａにおけるマウスポインタの入力操作は、参加者用端末１０ｂの表示内容を変更する操作に含まれる。
【００４７】
図６には、操作種別テーブルの一例を示している。図６に示す操作種別テーブルでは、操作内容に対応して、「資料表示」、「ペン」、「ピックアップ」、「ページ切り替え」、「ポインタ」の５種類の操作種別が設定されている。例えば、操作種別判定部１３は、上記操作種別テーブルを参照して、発表者による操作内容に対応する操作種別を特定する。また、操作種別判定部１３は、上記操作種別テーブルを参照して、参加者による操作内容に対応する操作種別を特定する。なお、操作内容に対応する操作種別が存在しない場合は、操作種別判定部１３は、「操作種別なし」と判定する。また、操作種別テーブルに登録される操作内容は図６の内容に限定されない。例えば、操作種別テーブルに登録される操作内容及び操作種別が、発表者用のものと参加者用のものとで異なっていてもよい。この場合は、発表者用操作種別テーブルと参加者用操作種別テーブルとを別々に設ければよい。
【００４８】
同期判定部１４は、操作種別判定部１３の判定結果に基づいて、参加者用端末１０ｂを発表者用端末１０ａに同期させるか又は非同期とさせるかを判定する。具体的には、発表者による操作内容が所定の操作種別（図６参照）に該当する場合は、同期判定部１４は、「同期」と判定する。また、参加者による操作内容が所定の操作種別（図６参照）に該当する場合は、同期判定部１４は「非同期」と判定する。なお、発表者による操作内容又は参加者による操作内容が「操作種別なし」の場合は、同期判定部１４は「非同期」と判定する。
【００４９】
表示制御部１５は、同期判定部１４の判定結果に基づいて、参加者用端末１０ｂの表示画面の表示内容を制御する。具体的には、同期判定部１４において「同期」と判定された場合、表示制御部１５は、発表者による操作内容に応じた表示内容を参加者用端末１０ｂに反映させて表示させる。例えば、発表者が発表者用端末１０ａにおいて新たな資料Ａを表示させた場合、同期判定部１４において「同期」と判定され、表示制御部１５は、参加者用端末１０ｂの表示部１０６に資料Ａを表示させる。また、例えば、発表者が発表者用端末１０ａにおいて資料Ａの表示ページを第１ページから第２ページに切り替えた場合、同期判定部１４において「同期」と判定され、表示制御部１５は、参加者用端末１０ｂの表示部１０６に表示されている資料Ａの表示ページを第１ページから第２ページに切り替える。同様に、ペンツールにより文字を書き込んだり、投稿コメントをピックアップしたり、発表者がマウスポインタを移動させたりした場合、表示制御部１５は、これら操作内容を、参加者用端末１０ｂに反映させる。
【００５０】
一方、同期判定部１４において「非同期」と判定された場合は、表示制御部１５は、参加者用端末１０ｂを発表者用端末１０ａに対して非同期状態（非同期モード）にするとともに、参加者による操作内容を参加者用端末１０ｂに反映させる。例えば、発表者用端末１０ａに同期して参加者用端末１０ｂに資料Ａが表示されている場合に、参加者が別の資料Ｂを選択した場合、同期判定部１４において「非同期」と判定され、表示制御部１５は、参加者用端末１０ｂを発表者用端末１０ａとは非同期状態とし、参加者用端末１０ｂの表示内容を変更して、表示部１０６に資料Ｂを表示させる。また、例えば、発表者用端末１０ａに同期して参加者用端末１０ｂに資料Ａの第３ページが表示されている場合に、参加者が先のページ（第４ページ）に切り替える操作を行った場合、同期判定部１４において「非同期」と判定され、表示制御部１５は、参加者用端末１０ｂを発表者用端末１０ａに対して非同期状態とし、参加者用端末１０ｂの表示部１０６に表示されている資料Ａの表示ページを第３ページから第４ページに切り替える（変更する）。同様に、ペンツールにより文字を書き込んだり、投稿コメントを作成したり、参加者がマウスポインタを移動させたりした場合、表示制御部１５は、参加者用端末１０ｂを発表者用端末１０ａに対して非同期状態とし、これら操作内容を、参加者用端末１０ｂに反映させる。
【００５１】
上記のように、表示制御部１５は、参加者が参加者用端末１０ｂにおいて予め設定された操作を行うことによって同期状態を解除する（非同期状態に切り替える）同期解除部として機能し、同期状態が解除された状態（非同期状態）において、発表者が発表者用端末１０ａにおいて予め設定された操作を行うことによって、再度、同期状態に戻す（非同期状態を解除する）再同期手段として機能する。
【００５２】
次に、電子会議システム１００における処理の流れについて説明する。図７及び図８は、電子会議システム１００の動作フロー図である。ここでは、一例として、発表者Ｐが発表者用端末１０ａを使用して電子会議において資料Ａに関する発表を行い、参加者Ｓが参加者用端末１０ｂを使用して電子会議に参加し、発表者Ｐ及び参加者Ｓが所望の操作を行いながら電子会議が進行していくケースを想定して説明する。なお、電子会議システム１００には、通信ネットワーク２０を介して相互に接続された１台の発表者用端末と複数台の参加者用端末とが含まれるが、ここでは、１台の発表者用端末１０ａと１台の参加者用端末１０ｂとに着目して説明する。
【００５３】
初めに、発表者Ｐは、発表者用端末１０ａにおいて、記憶部１０３（図２）に保存されている資料Ａのファイルを選択する。これにより、発表者用端末１０ａの表示部１０６に、資料Ａの内容が表示される（Ｓ１０１）。例えば、資料Ａの先頭ページ（第１ページ）が表示される。また、発表者用端末１０ａは、資料Ａの情報（例えば、資料ＡのＩＤ及びページ番号）を含む、発表者Ｐの操作内容（ここでは、新規資料Ａの表示）を示す発表者操作情報を参加者用端末１０ｂに通知する。
【００５４】
次に、参加者用端末１０ｂの発表者操作受付部１１が、発表者用端末１０ａから上記発表者操作情報を受け付ける（Ｓ２０１）。ここでは、発表者操作受付部１１は、資料ＡのＩＤを含む操作内容（「新規資料Ａの表示」）を受け付ける。
【００５５】
次に、参加者用端末１０ｂの操作種別判定部１３が、上記発表者操作情報に基づいて操作種別を判定する（Ｓ２０２）。ここでは、操作種別判定部１３は、図６に示す操作種別テーブルを参照して、操作内容（「新規資料Ａの表示」）に対応する操作種別（「資料表示」）を特定する。
【００５６】
次に、参加者用端末１０ｂの同期判定部１４が、操作種別判定部１３の判定結果に基づいて、参加者用端末１０ｂの同期・非同期を判定する（Ｓ２０３）。ここでは、操作種別として「資料表示」が特定されるため、同期判定部１４は「同期」と判定する。
【００５７】
次に、参加者用端末１０ｂの表示制御部１５が、同期判定部１４の判定結果に基づいて、参加者用端末１０ｂにおける表示画面の表示内容を制御する（Ｓ２０４）。ここでは、同期判定部１４により「同期」と判定されるため、表示制御部１５は、参加者用端末１０ｂの表示部１０６に資料Ａの第１ページを表示させる。
【００５８】
上記Ｓ２０１〜Ｓ２０４の処理では、発表者用端末１０ａと参加者用端末１０ｂとが同期状態（同期モード）となり、同一の内容が表示される。
【００５９】
続いて、参加者Ｓが参加者用端末１０ｂにおいて所望の操作を行う。ここでは、参加者Ｓが、表示画面に表示されている資料Ａの表示ページ（第１ページ）を、第２ページに切り替えたと仮定する（Ｓ２０５）。
【００６０】
すると、参加者用端末１０ｂの参加者操作取得部１２が、参加者Ｓが操作した内容を示す参加者操作情報を取得する。ここでは、参加者用端末１０ｂは、資料Ａの情報（例えば、資料ＡのＩＤ）を含む、参加者Ｓの操作内容（ここでは、資料Ａのページ切り替え）を示す参加者操作情報を取得する（Ｓ２０６）。
【００６１】
次に、参加者用端末１０ｂの操作種別判定部１３が、上記参加者操作情報に基づいて操作種別を判定する（Ｓ２０７）。ここでは、操作種別判定部１３は、図６に示す操作種別テーブルを参照して、操作内容（「資料Ａのページ切り替え」）に対応する操作種別（「ページ切り替え」）を特定する。
【００６２】
次に、参加者用端末１０ｂの同期判定部１４が、操作種別判定部１３の判定結果に基づいて、参加者用端末１０ｂの同期・非同期を判定する（Ｓ２０８）。ここでは、操作種別として「ページ切り替え」が特定されるため、同期判定部１４は「非同期」と判定する。
【００６３】
次に、参加者用端末１０ｂの表示制御部１５が、同期判定部１４の判定結果に基づいて、参加者用端末１０ｂにおける表示画面を制御する（Ｓ２０９）。ここでは、同期判定部１４により「非同期」と判定されるため、表示制御部１５は、発表者用端末１０ａの表示部１０６に資料Ａの第１ページが表示されていたとしても、参加者用端末１０ｂの表示部１０６の表示内容を変更して、資料Ａの第２ページを表示させる。
【００６４】
Ｓ２０５〜Ｓ２０９の処理では、参加者用端末１０ｂが非同期状態（非同期モード）となり、発表者用端末１０ａ及び参加者用端末１０ｂには互いに異なる内容が表示される。
【００６５】
続いて、発表者Ｐが発表者用端末１０ａにおいて所望の操作を行う。ここでは、発表者Ｐが、ペンツールを使用して、表示部１０６に表示されている資料Ａの第１ページに文字の書き込みを行ったと仮定する（図８のＳ１０２）。
【００６６】
すると、発表者用端末１０ａは、書き込まれた文字の位置（座標）、書き込まれた資料ＡのＩＤ及びページ番号を示す情報を含む、発表者Ｐが操作した内容（ここでは、ペンツールによる資料Ａへの書き込み）を示す発表者操作情報を、参加者用端末１０ｂに通知する。
【００６７】
次に、参加者用端末１０ｂの発表者操作受付部１１が、発表者用端末１０ａから上記発表者操作情報を受け付ける（Ｓ２１０）。
【００６８】
次に、参加者用端末１０ｂの操作種別判定部１３が、上記発表者操作情報に基づいて操作種別を判定する（Ｓ２１１）。ここでは、操作種別判定部１３は、図６に示す操作種別テーブルを参照して、操作内容（「ペンツールによる資料Ａへの書き込み」）に対応する操作種別（「ペン」）を特定する。
【００６９】
次に、参加者用端末１０ｂの同期判定部１４が、操作種別判定部１３の判定結果に基づいて、参加者用端末１０ｂの同期・非同期を判定する（Ｓ２１２）。ここでは、操作種別として「ペン」が特定されるため、同期判定部１４は「同期」と判定する。
【００７０】
次に、参加者用端末１０ｂの表示制御部１５が、同期判定部１４の判定結果に基づいて、参加者用端末１０ｂにおける表示画面の表示内容を制御する（Ｓ２１３）。ここでは、同期判定部１４により「同期」と判定されるため、表示制御部１５は、参加者用端末１０ｂの表示部１０６の表示内容を変更して、文字が書き込まれた資料Ａの第１ページを表示させる。
【００７１】
Ｓ２１０〜Ｓ２１３の処理では、参加者用端末１０ｂが再び同期状態（同期モード）となり、発表者用端末１０ａ及び参加者用端末１０ｂには互いに同一の内容が表示される。
【００７２】
以上のように、電子会議システム１００では、発表者及び参加者の所望の操作に応じて、自動的に同期・非同期が切り替わり、参加者用端末１０ｂの表示内容が変更される。
【００７３】
電子会議システム１００は、上記構成に限定されず、様々な構成を採用することができる。以下では、変形例に係る電子会議システム１００について、上記構成との相違点を中心に説明する。以下の変形例に係る電子会議システム１００において、上記電子会議システム１００と機能が共通する要素については説明を省略する。
【００７４】
変形例１に係る電子会議システム１００では、参加者操作取得部１２が参加者による操作内容（参加者操作情報）を取得した場合に、該操作内容に対応する操作種別を判定することなく、表示制御部１５が、参加者用端末１０ｂを発表者用端末１０ａに対して非同期状態（非同期モード）にするとともに、操作内容に応じた表示内容を参加者用端末１０ｂに表示させてもよい。そして、発表者操作受付部１１が発表者による操作内容（発表者操作情報）を受け付けた場合は、該操作内容に対応する操作種別を判定し、表示制御部１５が、参加者用端末１０ｂを発表者用端末１０ａに対して同期状態（同期モード）にするとともに、上記操作種別に該当する上記操作内容に応じた表示内容を参加者用端末１０ｂに表示させてもよい。
【００７５】
変形例１に係る電子会議システム１００によれば、発表者により、重要な操作（操作種別に該当する操作）、例えば、発表者用端末１０ａに表示された表示内容を変更する操作、が行われたときだけ同期状態となって該操作に応じた表示内容が参加者用端末１０ｂに表示され、上記操作が行われない間は、参加者の所望の操作に応じた表示内容が参加者用端末１０ｂに表示される。
【００７６】
変形例２に係る電子会議システム１００では、発表者操作受付部１１が発表者による操作内容（発表者操作情報）を受け付けた場合に、操作内容に対応する操作種別を判定することなく、表示制御部１５が、参加者用端末１０ｂを発表者用端末１０ａに対して同期状態（同期モード）にするとともに、操作内容に応じた表示内容を参加者用端末１０ｂに表示させてもよい。そして、参加者操作取得部１２が参加者による操作内容（参加者操作情報）を取得した場合は、該操作内容に対応する操作種別を判定し、表示制御部１５が、参加者用端末１０ｂを発表者用端末１０ａに対して非同期状態（非同期モード）にするとともに、上記操作種別に該当する上記操作内容に応じた表示内容を参加者用端末１０ｂに表示させてもよい。
【００７７】
変形例２に係る電子会議システム１００によれば、参加者により重要な操作（操作種別に該当する操作）、例えば、発表者用端末１０ａに同期して参加者用端末１０ｂに表示された表示内容を変更する操作、が行われたときだけ非同期状態となって該操作に応じた表示内容が参加者用端末１０ｂに表示され、上記操作が行われない間は、発表者の所望の操作に応じた表示内容が参加者用端末１０ｂに表示される。なお、変形例２に係る電子会議システム１００は、参加者による操作内容に応じた表示内容が参加者用端末１０ｂに表示された時点で、自動的に同期状態に移行する構成としてもよい。
【００７８】
変形例３に係る電子会議システム１００では、発表者用端末１０ａ及び参加者用端末１０ｂの同期状態を維持しつつ、参加者による操作内容に応じた表示内容を参加者用端末１０ｂに表示させてもよい。例えば、発表者用端末１０ａ及び参加者用端末１０ｂが同期状態であり、それぞれの表示画面に資料Ａの第１ページが表示されている場合に、参加者が第２ページに切り替えると、表示制御部１５は、表示画面を同期モード用の第１画面と非同期モード用の第２画面とに分割し、第１画面には同期モードに対応して第１ページを表示させ、第２画面には非同期モードに対応して第２ページを表示させる。この場合、第１画面の大きさを第２画面よりも小さくしてもよい。また、第１画面と第２画面を並べて表示してもよいし、一方の画面内に他方の画面を重ねて表示してもよい。また、上記の例において、参加者が第１画面を選択（クリック）する操作を行った場合に、表示制御部１５は、第２画面における非同期モードを解除し、第１画面を全画面表示に切り替えてもよい。
【００７９】
変形例３に係る電子会議システム１００によれば、参加者は、参加者用端末１０ｂにおいて、発表者用端末１０ａの表示内容と同じ内容を確認しつつ、所望の操作に応じた内容を表示させることができる。
【００８０】
変形例４に係る電子会議システム１００では、参加者用端末１０ｂが非同期状態のときに、参加者の指示に基づき非同期状態を維持する構成としてもよい。例えば、参加者が表示画面上の非同期ボタンをマウスポインタにより選択すると、参加者用端末１０ｂは非同期状態を維持する。また、例えば、参加者が表示画面上を指でタッチしている間は、参加者用端末１０ｂは非同期状態を維持する構成としてもよい。
【００８１】
また、変形例４に係る電子会議システム１００では、非同期状態を維持しているときに、発表者の操作内容が、複数の操作種別のうち重要な操作に関する操作種別に該当する場合は、強制的に非同期状態を解除して同期状態に移行する構成としてもよい。重要な操作とは、例えば、新規資料の表示や資料への書き込み等をいう。
【００８２】
図９は、変形例５に係る電子会議システム１００における参加者用端末１０ｂの具体的な構成を示す機能ブロック図である。変形例５に係る電子会議システム１００では、参加者用端末１０ｂは、さらに、発表者操作情報に対応する操作種別の優先度（発表者用優先度）と、参加者操作情報に対応する操作種別の優先度（参加者用優先度）とを取得して比較する優先度比較部１６を含んでいる。優先度は、発表者又は参加者における操作内容の重要度を表し、例えば、図１０に示すように、「資料表示」が最も優先度が高く、以降、「ペン」、「ピックアップ」、「ページ切り替え」、「ポインタ」の順に優先度が低くなっていく。優先度は、図１０に示す操作種別テーブルにおいて予め設定される。なお、発表者用優先度と参加者用優先度とは、図１０に示すように同一であってもよいし、図１１に示すように異なっていてもよい。
【００８３】
優先度比較部１６は、発表者操作受付部１１により発表者操作情報を受け付ける期間と、参加者操作取得部１２により参加者操作情報を取得する期間とが重なる場合に、上記それぞれの優先度を比較する。
【００８４】
図１２は、変形例５に係る電子会議システム１００の動作フロー図である。まず、参加者用端末１０ｂにおいて、発表者操作受付部１１が、発表者用端末１０ａから発表者操作情報を受け付け（Ｓ１１）、参加者操作取得部１２が参加者操作情報を取得する（Ｓ１２）。次に、操作種別判定部１３が、上記発表者操作情報及び上記参加者操作情報に対応するそれぞれの操作種別を特定する（Ｓ１３）。次に、優先度比較部１６が、それぞれの操作種別に対応するそれぞれの優先度（発表者用優先度、参加者用優先度）を取得し（Ｓ１４）、発表者用優先度が参加者用優先度よりも大きいか否かを判定する（Ｓ１５）。発表者用優先度が参加者用優先度よりも大きい場合は（Ｓ１５でＹＥＳ）、表示制御部１５は、発表者の操作内容に応じた表示内容を、参加者用端末１０ｂの表示画面に表示させる（Ｓ１６）。一方、参加者用優先度が発表者用優先度よりも大きい場合は（Ｓ１５でＮＯ）、表示制御部１５は、参加者の操作内容に応じた表示内容を、参加者用端末１０ｂの表示画面に表示させる（Ｓ１７）。上記Ｓ１６，Ｓ１７の処理後、電子会議が終了するまで上記処理が繰り返される（Ｓ１８）。
【００８５】
このように、変形例５に係る電子会議システム１００では、表示制御部１５は、発表者操作情報及び参加者操作情報のうち優先度の高い方の操作種別に対応する操作情報に応じた表示内容を、参加者用端末１０ｂの表示画面に表示させる。例えば、発表者が発表者用端末１０ａに表示された資料画面（図５参照）上でマウスポインタを移動させているときに、参加者が参加者用端末１０ｂに表示された資料画面（図５参照）のページを切り替えた場合、参加者用優先度（「２」）が発表者用優先度（「１」）よりも高いため、表示制御部１５は、「マウスポインタの移動」を参加者用端末１０ｂに反映しないで、「ページ切り替え」を参加者用端末１０ｂに反映する。
【００８６】
変形例５に係る電子会議システム１００は、上記構成に限定されない。例えば、優先度比較部１６は、発表者用優先度と、予め設定された所定優先度とを比較してもよい。そして、表示制御部１５は、発表者用優先度が所定優先度以下である場合は、当該発表者用優先度に対応する発表者操作情報に応じた表示内容を参加者用端末１０ｂに反映しない構成としてもよい。
【００８７】
また、変形例５に係る電子会議システム１００では、優先度の高い操作情報に応じた表示内容を参加者用端末１０ｂに表示させている間は、他の操作情報に応じた表示内容を受け付けず、優先度の高い操作情報に応じた表示内容が参加者用端末１０ｂに表示された後に、他の操作情報に応じた表示内容の受け付けを許可する構成としてもよい。例えば、参加者用端末１０ｂにおいてペンツールによる資料への書き込みが行われている間は（非同期状態）、発表者による操作内容（例えば、新規資料の表示）を受け付けず、発表者による資料への書き込みが終了した時点で、新規資料を参加者用端末１０ｂに表示させてもよい。
【００８８】
変形例６に係る電子会議システム１００では、参加者操作取得部１２は、自端末である参加者用端末１０ｂから参加者操作情報を取得するとともに、他の参加者用端末１０ｃ、１０ｄから参加者用操作情報を取得してもよい。すなわち、参加者操作取得部１２は、自端末以外の他の端末からも操作情報を取得する構成であってもよい。そして、上記構成において、例えば参加者用端末１０ｃから受け付けた参加者用操作情報における操作内容が、所定の操作種別に対応する場合は、当該操作内容を参加者用端末１０ｂに反映させてもよい。上記構成によれば、例えば、参加者用端末１０ｃにおいてコメントが投稿された場合、投稿されたコメントが参加者用端末１０ｂに表示される。
【００８９】
ところで、上述した各形態に係る電子会議システム１００では、同期判定部１４が省略されていてもよい。同期判定部１４を含まない電子会議システム１００について、変形例７として以下に説明する。
【００９０】
変形例７に係る電子会議システム１００では、表示制御部１５は、操作種別判定部１３の判定結果に基づいて、参加者用端末１０ｂの表示画面の表示内容を制御してもよい。具体的には、発表者による操作内容が所定の操作種別（図６参照）に該当する場合に、表示制御部１５は、当該操作内容に応じた表示内容を参加者用端末１０ｂに反映させて表示させてもよい。
【００９１】
例えば、発表者の操作内容（例えば、マウスポインタの表示やペンツールによる書き込み）を参加者用端末１０ｂに反映させるとともに、参加者の操作内容がマウスポインタの表示や（同一ページ内での）ペンツールによる書き込みであった場合は、当該参加者の操作内容も参加者用端末１０ｂに反映させてもよい。つまり、発表者の操作内容と参加者の操作内容の両方を、参加者用端末１０ｂに反映させてもよい。よって、発表者の操作内容を反映しつつ、参加者の操作内容も同時に反映する、同期状態及び非同期状態の中間の状態（半同期状態）とすることもできる。このように、表示制御部１５は、同期モード・非同期モードによらず、半同期モードを実現することができる。すなわち、表示制御部１５は、参加者用端末１０ｂに表示された表示内容を、発表者の操作内容及び参加者の操作内容の両方に応じた表示内容に変更することもできる。
【００９２】
電子会議システム１００が同期判定部１４を含む場合は、例えば、同期判定部１４の判定結果を用いて以下の変形例８に示すシステムを構成することもできる。
【００９３】
図１３は、変形例８に係る電子会議システム１００の具体的な構成を示す機能ブロック図である。変形例８に係る電子会議システム１００では、参加者用端末１０ｂは、さらに、同期情報通知部１７を含み、発表者用端末１０ａは、さらに、同期情報取得部２１及び表示制御部２２を含んでいる。
【００９４】
参加者用端末１０ｂの同期情報通知部１７は、参加者用端末１０ｂが発表者用端末１０ａに同期しているか否かを示す同期状態や、同期していない場合の表示画面の表示内容等を含む同期情報を発表者用端末１０ａに送信する。
【００９５】
発表者用端末１０ａの同期情報取得部２１は、参加者用端末１０ｂから、上記同期情報を取得する。なお、同期情報取得部２１は、電子会議システム１００に含まれる全ての参加者用端末から上記同期情報を取得する。
【００９６】
発表者用端末１０ａの表示制御部２２は、同期情報取得部２１が取得した上記同期情報に基づいて、発表者用端末１０ａの表示画面の表示内容を制御する。例えば、表示制御部２２は、全ての参加者用端末のうち同期状態にある参加者用端末の合計台数（同期数）を算出し、発表者用端末１０ａの表示画面に同期数を表示する。また、表示制御部２２は、全ての参加者用端末の台数に対する、同期状態にある参加者用端末の台数の割合（同期率）を算出し、発表者用端末１０ａの表示画面に同期率を表示してもよい。また、表示制御部２２は、非同期状態にある参加者用端末１０ｂの表示画面に表示されている表示内容を、発表者用端末１０ａの表示画面に並べて表示（例えば、サムネイル表示）してもよい。
【００９７】
変形例９に係る電子会議システム１００では、変形例８に係る電子会議システム１００において、参加者用端末１０ｂは、参加者操作取得部１２及び操作種別判定部１３が省略されている。図１４は、変形例９に係る電子会議システム１００の具体的な構成を示す機能ブロック図である。発表者用端末１０ａは、図１３に示す構成と同一である。参加者用端末１０ｂは、同期表示を行う周知の端末装置を適用することができる。上記構成によれば、上記変形例８と同様、発表者用端末１０ａの表示画面に、同期率や、非同期状態にある参加者用端末１０ｂの表示内容が表示される。よって、発表者は、自身の発表内容に対する参加者の関心度合いを把握することができる。
【００９８】
なお、上記変形例９に係る電子会議システム１００を実現するためのプログラムは、複数の端末装置において、参加者用端末１０ｂ（第１端末装置）の表示画面の少なくとも一部に、発表者用端末１０ａ（第２端末装置）の表示内容の少なくとも一部を同期状態にして表示させることが可能なプログラムであって、全ての参加者用端末１０ｂの台数に対する、同期状態にある参加者用端末１０ｂの台数の割合（同期率）を、発表者用端末１０ａの表示画面に表示させる表示制御手段、としてコンピュータを機能させるためのプログラムとすることができる。また、上記表示制御手段は、非同期状態にある参加者用端末１０ｂの表示内容を、発表者用端末１０ａの表示画面に表示させてもよい。
【００９９】
以上説明した電子会議システム１００の実施形態及び各変形例に示した各要素は、操作端末１０（発表者用端末１０ａ、参加者用端末１０ｂ、１０ｃ、１０ｄ）にネットワーク接続された情報処理装置において、プログラムをＣＰＵが実行することにより実現されてもよい。上記情報処理装置は、例えば図４に示すサーバ３０とすることができる。この場合、情報処理装置では、参加者操作取得部１２が各参加者用端末から参加者操作情報を取得し、操作種別判定部１３が各参加者用端末に対応する操作種別をそれぞれ特定し、同期判定部１４が各参加者用端末に対応する同期、非同期をそれぞれ判定する。また、表示制御部１５は、同期判定部１４の判定結果に基づいて、各参加者用端末の表示画面の表示内容を制御する。
【０１００】
また、上記実施形態及び各変形例は、一例であって、各形態を組み合わせることもできる。
【０１０１】
また、電子会議システム１００のネットワーク構成は、図４に示す構成に限定されない。例えば、図１５に示すように、各操作端末１０が、参加者用端末１０ｂを介して相互に接続された構成（スター型）であってもよい。また、図１６に示すように、発表者用端末１０ａを起点として参加者用端末１０ｂ、１０ｃ、１０ｄが接続された構成（Ｐ２Ｐ（Peer to Peer）型）であってもよい。
【０１０２】
また、図４に示すネットワーク構成において、各操作端末１０からサーバ３０への接続はユーザがウェブブラウザを立ち上げて共通のＵＲＬ（サーバ）を指定することで接続させるようにしても良いし、各操作端末１０で立ち上げるアプリケーションが予め設定されているアドレスに従って自動的にサーバ３０に接続するようにしても良い。また、各操作端末１０とサーバ３０との接続は、Web Socketにより接続されてもよいし、各操作端末１０がサーバ３０に対して一定間隔で接続に行く（ポーリング）ことにより擬似的に操作端末１０間で情報のやり取りをするようにしても良い。
【０１０３】
なお、上記電子会議システム１００における同期状態及び非同期状態の相互の移行（切り替え）は、端末装置１０の初期設定（デフォルト）が非同期状態である場合は、非同期状態を解除して同期状態に移行し、初期状態が同期状態である場合は、同期状態を解除して非同期状態に移行する。
【０１０４】
以上の説明では、情報処理システムの一例として電子会議システムを例に挙げたが、当該情報処理システムは、電子会議システムに限定されず、ネットワーク接続された端末装置間で電子データを共有する多種多様なシステムを含むものである。
【符号の説明】
【０１０５】
１００  電子会議システム、１０１  ＣＰＵ、１０２  メモリ、１０３  記憶部、１０４  通信部、１０５  入力部、１０６  表示部、１０  操作端末、１０ａ  発表者用端末、１０ｂ  参加者用端末、１１  発表者操作受付部、１２  参加者操作取得部、１３  操作種別判定部、１４  同期判定部、１５  表示制御部、１６  優先度比較部、１７  同期情報通知部、２０  通信ネットワーク、３０  サーバ、３１  ファイルＤＢ。
【図１】
0006354421.tif 000002
【図２】
0006354421.tif 000003
【図３】
0006354421.tif 000004
【図４】
0006354421.tif 000005
【図５】
0006354421.tif 000006
【図６】
0006354421.tif 000007
【図７】
0006354421.tif 000008
【図８】
0006354421.tif 000009
【図９】
0006354421.tif 000010
【図１０】
0006354421.tif 000011
【図１１】
0006354421.tif 000012
【図１２】
0006354421.tif 000013
【図１３】
0006354421.tif 000014
【図１４】
0006354421.tif 000015
【図１５】
0006354421.tif 000016
【図１６】
0006354421.tif 000017